【事件の表示】
　特許第３２９７９８６号「アクティブマトリクス表示装置及びその駆動方法」の請求項１、３及び４に係る特許に対する特許異議の申立てについて、次のとおり決定する。
【結　論】
　訂正を認める。
　特許第３２９７９８６号の請求項１、３及び４に係る特許を維持する。
【理　由】
第１　手続の経緯
　特許第３２９７９８６号（以下「本件特許」という。）は、平成８年１２月１３日に特許出願がされ（特願平８−３５２９８６号）、平成１４年４月１９日に特許権の設定登録がされ、同年７月２日にその特許掲載公報が発行されたものであり、平成１４年１２月２７日にその請求項１、３及び４に係る特許に対してセイコーエプソン株式会社より特許異議の申立てがされ、当審において平成１５年４月１１日付けで取消理由を通知（同月２２日発送）したところ、同年６月２１日に訂正請求書及び特許異議意見書が提出されたものである。
　
第２　訂正について
　１　訂正の内容
　本件特許の明細書を訂正請求書に添付した訂正明細書のとおり訂正することを求めるものであり、訂正事項は次のとおりである。
　（１）訂正事項１
　本件明細書特許請求の範囲を次のとおり訂正する。
　　　ア　訂正前の特許請求の範囲
「【請求項１】行状のゲート線と、列状の信号線と、両者の交差部に配された行列状の画素と、一垂直期間に渡って各ゲート線を順次走査し一水平期間毎に一行分の画素を選択する垂直走査回路と、各信号線に対して映像信号をサンプリングし一水平期間内に選択された一行分の画素に映像信号を書き込む水平走査回路とを有するアクティブマトリクス表示装置であって、
　一水平期間のうち一行分の画素に映像信号を書き込む為に割り当てられた時間以外の時間に、映像信号の最低レベル以下の電圧を各信号線に印加する電圧印加手段を備えており、この電圧印加を一垂直期間に渡って繰り返して全画素の信号リーク量を同程度にそろえることを特徴とするアクティブマトリクス表示装置。
　【請求項２】前記電圧印加手段は、映像信号の最低レベル以下の電圧を印加した後映像信号を書き込む前に、電圧を映像信号の中間レベルに変化させて印加し、各信号線をプリチャージすることを特徴とする請求項１記載のアクティブマトリクス表示装置。
　【請求項３】前記水平走査回路は水平期間毎に極性が反転する映像信号を書き込み、前記電圧印加手段は一方の極性の映像信号が書き込まれる水平期間においてその最低レベル以下の電圧を各信号線に印加することを特徴とする請求項１記載のアクティブマトリクス表示装置。
　【請求項４】行状のゲート線と、列状の信号線と、両者の交差部に配された行列状の画素とを有するアクティブマトリクス表示装置の駆動方法であって、
　一垂直期間に渡って各ゲート線を順次走査し一水平期間毎に一行分の画素を選択する垂直走査と、
　各信号線に対して映像信号を順次サンプリングし一水平期間内に選択された一行分の画素に映像信号を書き込む水平走査と、
　一水平期間のうち一行分の画素に映像信号を書き込む為に割り当てられた時間以外の時間に映像信号の最低レベル以下の電圧を各信号線に印加する電圧印加とを行ない、
　この電圧印加を一垂直期間に渡って繰り返し全画素の信号リーク量を同程度にそろえることを特徴とするアクティブマトリクス表示装置の駆動方法。」
　　　イ　訂正後の特許請求の範囲
「【請求項１】行状のゲート線と、列状の信号線と、両者の交差部に配され各薄膜トランジスタによって駆動される行列状の画素と、一垂直期間に渡って各ゲート線を順次走査し一水平期間毎に一行分の画素を選択する垂直走査回路と、各信号線に対して映像信号をサンプリングし一水平期間内に選択された一行分の画素に映像信号を書き込む水平走査回路とを有するアクティブマトリクス表示装置であって、
　各薄膜トランジスタは、そのゲートが遮断されている時に流れるリーク電流が、画素に書き込まれた映像信号が高レベルで信号線に印加されている映像信号が低レベルになる一方の状態と、画素に書き込まれた映像信号が低レベルで信号線に印加されている映像信号が高レベルになる他方の状態とで比較すると、該一方の状態で流れるリーク電流が該他方の状態で流れるリーク電流より大きくなる非対称性を有し、
　一水平期間のうち一行分の画素に映像信号を書き込む為に割り当てられた時間以外の時間に、映像信号の最低レベル以下の電圧を各信号線に印加する電圧印加手段を備えており、この電圧印加を一垂直期間に渡って繰り返して各薄膜トランジスタをゲートが遮断されている時に該一方の状態におくことで、全画素の信号リーク量を同程度にそろえることを特徴とするアクティブマトリクス表示装置。
　【請求項２】前記電圧印加手段は、映像信号の最低レベル以下の電圧を印加した後映像信号を書き込む前に、電圧を映像信号の中間レベルに変化させて印加し、各信号線をプリチャージすることを特徴とする請求項１記載のアクティブマトリクス表示装置。
　【請求項３】前記水平走査回路は水平期間毎に極性が反転する映像信号を書き込み、前記電圧印加手段は一方の極性の映像信号が書き込まれる水平期間においてその最低レベル以下の電圧を各信号線に印加することを特徴とする請求項１記載のアクティブマトリクス表示装置。
　【請求項４】行状のゲート線と、列状の信号線と、両者の交差部に配され各薄膜トランジスタによって駆動される行列状の画素とを有し、各薄膜トランジスタは、そのゲートが遮断されている時に流れるリーク電流が、画素に書き込まれた映像信号が高レベルで信号線に印加されている映像信号が低レベルになる一方の状態と、画素に書き込まれた映像信号が低レベルで信号線に印加されている映像信号が高レベルになる他方の状態とで比較すると、該一方の状態で流れるリーク電流が該他方の状態で流れるリーク電流より大きくなる非対称性を有するアクティブマトリクス表示装置の駆動方法であって、
　一垂直期間に渡って各ゲート線を順次走査し一水平期間毎に一行分の画素を選択する垂直走査と、
　各信号線に対して映像信号を順次サンプリングし一水平期間内に選択された一行分の画素に映像信号を書き込む水平走査と、
　一水平期間のうち一行分の画素に映像信号を書き込む為に割り当てられた時間以外の時間に映像信号の最低レベル以下の電圧を各信号線に印加する電圧印加とを行ない、
　この電圧印加を一垂直期間に渡って繰り返し各薄膜トランジスタをゲートが遮断されている時に該一方の状態におくことで、全画素の信号リーク量を同程度にそろえることを特徴とするアクティブマトリクス表示装置の駆動方法。」
　（２）訂正事項２
　本件明細書の段落【０００７】を次のとおり訂正する。
　　　ア　訂正前の記載
「【０００７】【課題を解決する為の手段】上述した従来の技術の課題を解決する為に以下の手段を講じた。即ち、本発明に係るアクティブマトリクス表示装置は基本的な構成として、行状のゲート線と、列状の信号線と、両者の交差部に配された行列状の画素とを備えている。また、一垂直期間に渡って各ゲート線を順次走査し一水平期間毎に一行分の画素を選択する垂直走査回路と、各信号線に対して映像信号をサンプリングし、一水平期間内に選択された一行分の画素に映像信号を書き込む水平走査回路とを有する。本発明の特徴事項として電圧印加手段を備えており、一水平期間の内一行分の画素に映像信号を書き込む為に割り当てられた時間以外の時間に、映像信号の最低レベル以下の電圧を各信号線に印加する。この電圧印加を一垂直期間に渡って繰り返して全画素の信号リーク量を同程度にそろえる。好ましくは、前記電圧印加手段は、映像信号の最低レベル以下の電圧を印加した後映像信号を書き込む前に、電圧を映像信号の中間レベルに変化させて印加し、各信号線をプリチャージする。また好ましくは、前記水平走査回路は水平期間毎に極性が反転する映像信号を書き込み、前記電圧印加手段は一方の極性の映像信号が書き込まれる水平期間においてその最低レベル以下の電圧を各信号線に印加する。」
　　　イ　訂正後の記載
「【０００７】【課題を解決する為の手段】上述した従来の技術の課題を解決する為に以下の手段を講じた。即ち、本発明に係るアクティブマトリクス表示装置は基本的な構成として、行状のゲート線と、列状の信号線と、両者の交差部に配され各薄膜トランジスタによって駆動される行列状の画素とを備えている。また、一垂直期間に渡って各ゲート線を順次走査し一水平期間毎に一行分の画素を選択する垂直走査回路と、各信号線に対して映像信号をサンプリングし、一水平期間内に選択された一行分の画素に映像信号を書き込む水平走査回路とを有する。本発明の特徴事項として、各薄膜トランジスタは、そのゲートが遮断されている時に流れるリーク電流が、画素に書き込まれた映像信号が高レベルで信号線に印加されている映像信号が低レベルになる一方の状態と、画素に書き込まれた映像信号が低レベルで信号線に印加されている映像信号が高レベルになる他方の状態とで比較すると、該一方の状態で流れるリーク電流が該他方の状態で流れるリーク電流より大きくなる非対称性を有する。また、電圧印加手段を備えており、一水平期間の内一行分の画素に映像信号を書き込む為に割り当てられた時間以外の時間に、映像信号の最低レベル以下の電圧を各信号線に印加する。この電圧印加を一垂直期間に渡って繰り返して各薄膜トランジスタをゲートが遮断されている時に該一方の状態におくことで、全画素の信号リーク量を同程度にそろえる。好ましくは、前記電圧印加手段は、映像信号の最低レベル以下の電圧を印加した後映像信号を書き込む前に、電圧を映像信号の中間レベルに変化させて印加し、各信号線をプリチャージする。また好ましくは、前記水平走査回路は水平期間毎に極性が反転する映像信号を書き込み、前記電圧印加手段は一方の極性の映像信号が書き込まれる水平期間においてその最低レベル以下の電圧を各信号線に印加する。」
　
　２　訂正の適否
　訂正事項１は、請求項１及び４の「行列状の画素」について「各薄膜トランジスタによって駆動される」との限定を付加し、「薄膜トランジスタ」について「各薄膜トランジスタは、そのゲートが遮断されている時に流れるリーク電流が、画素に書き込まれた映像信号が高レベルで信号線に印加されている映像信号が低レベルになる一方の状態と、画素に書き込まれた映像信号が低レベルで信号線に印加されている映像信号が高レベルになる他方の状態とで比較すると、該一方の状態で流れるリーク電流が該他方の状態で流れるリーク電流より大きくなる非対称性を有」するとの限定を付し、「全画素の信号リーク量を同程度にそろえる」ことについて「各薄膜トランジスタをゲートが遮断されている時に該一方の状態におくことで」との限定を付すものであるから、特許請求の範囲の減縮を目的とするものである。
　明細書の段落【０００９】には「液晶画素ＬＣは薄膜トランジスタＴｒにより駆動される。」、段落【０００３】には「図１１の左側に示す状態では、ＬＣにＨレベルが書き込まれた状態で信号線ＹにはＬレベルになっている。この状態でＴｒのゲートが遮断されている時に流れるリーク電流をＩｏｆｆ１で表わす。また、図１１の右側は、ＬＣがＬレベルに保持され、信号線ＹにＨレベルが印加されている状態を示す。この状態でＴｒのゲートが遮断されている時流れるリーク電流をＩｏｆｆ２で表わしている。薄膜トランジスタＴｒの非対称性によって、一般にＩｏｆｆ１はＩｏｆｆ２よりも大きい。」、段落【００１２】には「（Ａ）は図１２のＡ部に含まれる画素の電位変化を示し、（Ｂ）は同じく図１２に示したＢ部に含まれる画素の電位変化を表わしている。本発明では１Ｆ期間内に図３に示した薄膜トランジスタの動作を１Ｈ毎に繰り返す為に、図２に示す様にＡ部及びＢ部の画素共にほぼ同様な電位変化を示す。即ち、Ａ部とＢ部の画素実効電圧がほぼ同等となる為縦クロストークを防止できる。換言すると、全信号線に関し、図３に示した動作（図１４のＴ４に示した動作と同等）をさせることによって、Ａ部とＢ部のリークレベルをほぼ同等にでき、これによって縦クロストークを防止する。」、段落【０００６】には「特に、Ｔ４の期間ではＴ３と異なり信号線側がＬの２Ｖになる状態が含まれる為大きなリーク電流が流れ、Ａ部とＢ部との間で差が極めて顕著になってしまう。」との記載がされているから、訂正事項１は願書に添付した明細書又は図面に記載した事項の範囲内の訂正である。
　そして、訂正事項１は、実質上特許請求の範囲を拡張し、又は変更するものでもない。
　訂正事項２は、特許請求の範囲の記載と発明の詳細な説明の記載との整合をとるためのものであり、明りょうでない記載の釈明を目的とするものである。そして、訂正事項２は、願書に添付した明細書又は図面に記載した事項の範囲内の訂正であり、実質上特許請求の範囲を拡張し、又は変更するものでもない。
　したがって、上記訂正は特許法１２０条の４第２項に掲げる事項を目的とし、同条３項で準用する１２６条２項及び３項の規定に適合するので、これを認める。
　
第３　特許異議の申立てについて
　１　特許異議の申立ての理由の概要
　特許異議申立人セイコーエプソン株式会社は、本件請求項１及び４に係る発明は甲第１号証（特開平５−２６５４０４号公報）に記載された発明であり、また、本件請求項１、３及び４に係る発明は当業者が甲第１号証、甲第２号証（特開平４−４２２９０号公報）及び甲第３号証（特開平２−２０４７１８号公報）に記載された発明に基いて容易に発明をすることができたものであるから、本件請求項１、３及び４に係る発明は特許法２９条１項及び２項の規定により特許を受けることができないものであり、これらの請求項に係る特許は取り消されるべきものであると主張する。
　
　２　本件発明
　本件特許の請求項１、３及び４に係る発明（以下「本件発明１」、「本件発明３」及び「本件発明４」という。）は、上記訂正請求に係る訂正明細書（以下「本件明細書」という。）の特許請求の範囲の請求項１、３及び４に記載されたとおりのものである。
　
　３　引用刊行物に記載された発明
　（１）甲第１号証について
　甲第１号証には、図面とともに、「【０００２】【従来の技術】周知のように、アクティブマトリクス型液晶表示装置は、複数の液晶表示素子がマトリクス状に配列され、複数の液晶表示素子の各行に平行に複数本の走査線が設けられ、複数の液晶表示素子の各列に平行に複数本のデータ信号線が設けられ、複数本の走査線と複数本のデータ信号線とのマトリクス交差部の各々にスイッチング素子を具備している。【０００３】図４にアクティブマトリクス型液晶表示装置を構成するスイッチング素子の１つとそれに接続された１個の液晶表示素子の等価回路図を示す。この例では、スイッチング素子として、Ｎチャンネル型薄膜電解（注　「電界」の誤記）効果トランジスタ２１を使用し、これはｉ行走査線２２とｊ列データ信号線２３とのマトリクス交差部２４に設けられている。Ｎチャンネル薄膜トランジスタ２１のゲート電極２５は第ｉ行の走査線２２に接続されている。Ｎチャンネル薄膜トランジスタ２１のドレイン電極及びソース電極のうち、一方はｊ列データ信号線２３に接続され、他方は表示電極２６に接続されている。この表示電極２６には液晶表示素子が接続される。ここで、液晶表示素子は、等価的に、表示電極２６と共通電極２７との間に設けられた液晶容量２８として表すことができる。共通電極２７には抵抗２９の一端が接続されている。【０００４】図６に従来のアクティブマトリクス型液晶表示装置の駆動方法による、複数本のデータ信号線の各々に出力される出力データ信号の電圧波形図を示す。任意の列のデータ信号線より出力される出力データ信号ＯＤ´は、第ｉ行のデータ、第（ｉ＋１）行のデータ、第（ｉ＋２）行のデータ、…と行方向の走査線が線順次に走査するにあわせて、次々とそのデータ電圧を切り換えていく。このさい、従来の駆動方法では、図６に示すように、出力データ信号ＯＤ´のデータ電圧の切り換え時点において、出力データ信号ＯＤ´の信号電圧を、一旦、０Ｖにしている。この理由は、後で詳細に述べるように、データ電圧の切り換えを円滑にできるようにするためである。【０００５】図６に示されたオフセット電圧とは、図４に示した液晶容量２８の共通電極２７側に与えられる電圧のことである。このオフセット電圧は、例えば、８Ｖである。周知のように、液晶表示装置等の表示装置によって表示される映像は、多数の画面を所定周期（例えば、（１／３０）秒）で切り替えることによって構成され、各画面は、この技術分野ではフレームと呼ばれている。液晶表示装置においては、フレームには（＋）フレームと（−）フレームと呼ばれる２種類のフレームがある。図６に示されるように、（＋）フレームでは、出力データ信号ＯＤ´のデータ電圧としてオフセット電圧より高い電圧が与えられ、（−）フレームでは、出力データ信号ＯＤ´のデータ電圧としてオフセット電圧より低い電圧が与えられる。この（＋）フレームと（−）フレームとは、行方向の走査が一巡する毎に交互に切り換えられる。これにより、図４の液晶容量２８に対して交流の電圧を与えている。」との記載がされている。
　（２）甲第２号証について
　甲第２号証には、図面とともに、「（２）所定の補助電圧は、画素に印加可能な最大値または最小値または０であることを特徴とする請求項（１）記載の液晶表示装置」（特許請求の範囲第２項）、「（５）補助電圧は、各水平走査期間の水平ブランキング期間に各画素に印加することを特徴とする請求項（１）、（２）、（３）または（４）のいずれかに記載の液晶表示装置」（特許請求の範囲第５項）、「第２図（ａ）において、・・・＋Ｖｍ・−Ｖｍは信号側の印加可能な最大および最小の電圧・・・である。第２図（ｂ）は水平同期信号を示しており、ｔ１は水平ブランキング期間、ｔ２は水平走査期間である。・・・最初の補助電圧として、０Ｖを水平ブランキング期間ｔ１に書き込み、次の補助電圧として、最小値の−Ｖｍを水平ブランキング期間に書き込むものである。」（３頁１行ないし１３行）との記載がされている。
　（３）甲第３号証について
　甲第３号証には、図面とともに、「本発明は、例えば液晶表示素子をＸ−Ｙマトリクス状に配置して画像の表示を行う液晶ディスプレイ装置に関する。」（１頁左下欄１７行ないし１９行）、「上述の装置において、・・・１水平期間ごとの極性反転が行われていると、例えば表示画像が全白（または全黒）の場合に、入力端子（１）に供給される映像信号は第５図Ａに示すように・・・１水平期間ごとに極性反転されたものになっている。」（２頁右下欄３行ないし９行）との記載がされている。
　
　４　当審の判断
　（１）本件発明１について
　本件発明１と甲第１号証記載の発明とを対比すると、甲第１号証には本件発明１を特定するための事項である「各薄膜トランジスタは、そのゲートが遮断されている時に流れるリーク電流が、画素に書き込まれた映像信号が高レベルで信号線に印加されている映像信号が低レベルになる一方の状態と、画素に書き込まれた映像信号が低レベルで信号線に印加されている映像信号が高レベルになる他方の状態とで比較すると、該一方の状態で流れるリーク電流が該他方の状態で流れるリーク電流より大きくなる非対称性を有」する点、「各薄膜トランジスタをゲートが遮断されている時に該一方の状態におくことで全画素の信号リーク量を同程度にそろえる」点が示されていない。そして、本件発明１は、これらの点により本件明細書記載の格別の作用効果を奏するものということができる。
　そうすると、本件発明１が甲第１号証に記載された発明であるということはできない。また、これらの点は特許異議申立人が提出した甲第２号証、甲第３号証のいずれにも示されていないから、本件発明１が、当業者が甲第１号証ないし甲第３号証に記載された発明に基いて容易に発明をすることができたものであるとすることもできない。
　（２）本件発明３について
　本件発明３は、本件発明１を引用するものであるから、本件発明１と同様に、当業者が甲第１号証ないし甲第３号証に記載された発明に基いて容易に発明をすることができたものとすることはできない。
　（３）本件発明４について
　本件発明４は、「アクティブマトリクス表示装置の駆動方法」に関するものであり、「アクティブマトリクス表示装置」に関する本件発明１と、発明のカテゴリーは相違するが、実質的に同一である。
　そうすると、本件発明４は、本件発明１と同様に、甲第１号証に記載された発明であるということはできず、また、当業者が甲第１号証ないし甲第３号証に記載された発明に基いて容易に発明をすることができたものであるとすることもできない。
　
第４　むすび
　以上のとおりであるから、特許異議の申立ての理由及び証拠によっては、本件請求項１、３及び４に係る特許を取り消すことができない。
　また、他に本件請求項１、３及び４に係る特許を取り消すべき理由を発見しない。
　よって、結論のとおり決定する。
【異議決定日】
平成１５年９月５日（２００３．９．５）
【訂正の要旨】
審決（決定）の【理由】欄参照。
（５４）【発明の名称】
アクティブマトリクス表示装置及びその駆動方法
（５７）【特許請求の範囲】
　【請求項１】　行状のゲート線と、列状の信号線と、両者の交差部に配され
各薄膜トランジスタによって駆動される
　
各薄膜トランジスタは、そのゲートが遮断されている時に流れるリーク電流が、画素に書き込まれた映像信号が高レベルで信号線に印加されている映像信号が低レベルになる一方の状態と、画素に書き込まれた映像信号が低レベルで信号線に印加されている映像信号が高レベルになる他方の状態とで比較すると、該一方の状態で流れるリーク電流が該他方の状態で流れるリーク電流より大きくなる非対称性を有し、
　一水平期間のうち一行分の画素に映像信号を書き込む為に割り当てられた時間以外の時間に、映像信号の最低レベル以下の電圧を各信号線に印加する電圧印加手段を備えており、この電圧印加を一垂直期間に渡って繰り返して
各薄膜トランジスタをゲートが遮断されている時に該一方の状態におくことで、
　【請求項２】　前記電圧印加手段は、映像信号の最低レベル以下の電圧を印加した後映像信号を書き込む前に、電圧を映像信号の中間レベルに変化させて印加し、各信号線をプリチャージすることを特徴とする請求項１記載のアクティブマトリクス表示装置。
　【請求項３】　前記水平走査回路は水平期間毎に極性が反転する映像信号を書き込み、前記電圧印加手段は一方の極性の映像信号が書き込まれる水平期間においてその最低レベル以下の電圧を各信号線に印加することを特徴とする請求項１記載のアクティブマトリクス表示装置。
　【請求項４】　行状のゲート線と、列状の信号線と、両者の交差部に配され
各薄膜トランジスタによって駆動される
し、各薄膜トランジスタは、そのゲートが遮断されている時に流れるリーク電流が、画素に書き込まれた映像信号が高レベルで信号線に印加されている映像信号が低レベルになる一方の状態と、画素に書き込まれた映像信号が低レベルで信号線に印加されている映像信号が高レベルになる他方の状態とで比較すると、該一方の状態で流れるリーク電流が該他方の状態で流れるリーク電流より大きくなる非対称性を有
　一垂直期間に渡って各ゲート線を順次走査し一水平期間毎に一行分の画素を選択する垂直走査と、
　各信号線に対して映像信号を順次サンプリングし一水平期間内に選択された一行分の画素に映像信号を書き込む水平走査と、
　一水平期間のうち一行分の画素に映像信号を書き込む為に割り当てられた時間以外の時間に映像信号の最低レベル以下の電圧を各信号線に印加する電圧印加とを行ない、
　この電圧印加を一垂直期間に渡って繰り返し
各薄膜トランジスタをゲートが遮断されている時に該一方の状態におくことで、
【発明の詳細な説明】
　【０００１】
　【発明の属する技術分野】
　本発明は薄膜トランジスタなどを画素駆動用のスイッチング素子として用いるアクティブマトリクス表示装置及びその駆動方法に関する。より詳しくは、画面の上下方向に沿って現れるクロストーク（以下、縦クロストークと呼ぶことがある）を除いて画質を改善する技術に関する。
　【０００２】
　【従来の技術】
　図１１を参照して従来のアクティブマトリクス表示装置の一般的な構成を簡潔に説明する。図１１はアクティブマトリクス表示装置から画素２個分を取り出して模式的に表わしたものである。アクティブマトリクス表示装置は行状のゲート線Ｘと列状の信号線Ｙと両者の交差部に配された行列状の液晶画素ＬＣとを備えている。また、液晶画素ＬＣを駆動する為のスイッチング素子として薄膜トランジスタＴｒも形成されている。薄膜トランジスタＴｒのゲート電極Ｇは対応するゲート線Ｘに接続され、ソース電極Ｓ及びドレイン電極Ｄの内一方は対応する信号線Ｙに接続され、他方は対応する液晶画素ＬＣに接続される。なお、液晶画素ＬＣは一般に交流駆動されるので、これに書き込まれる映像信号は極性反転する。これに応じてドレイン電極Ｄとソース電極Ｓも交互に入れ代わる。ここでは、電圧が高くなる方（Ｈ）をドレイン電極Ｄとし、電圧が低くなる方（Ｌ）をソース電極Ｓとする。図示しないが、各ゲート線Ｘには垂直走査回路が接続しており、一垂直期間（１Ｆ）に渡って各ゲート線Ｘを順次走査し、一水平期間（１Ｈ）毎一行分の画素ＬＣを選択する。一方各信号線Ｙには水平走査回路が接続しており、各信号線Ｙに対して映像信号Ｖｓｉｇをサンプリングし一水平期間内に選択された一行分の画素に映像信号を書き込む。
　【０００３】
　【発明が解決しようとする課題】
　従来のアクティブマトリクス表示装置は縦クロストークと呼ばれる不具合が生じる為、例えばプロジェクタなどに用いる場合画質が悪くなる為解決すべき課題となっていた。図１１に示す様に、縦クロストークは薄膜トランジスタの電流リークの非対称性に起因している。図１１の左側に示す状態では、ＬＣにＨレベルが書き込まれた状態で信号線ＹにはＬレベルになっている。この状態でＴｒのゲートが遮断されている時に流れるリーク電流をＩｏｆｆ１で表わす。また、図１１の右側は、ＬＣがＬレベルに保持され、信号線ＹにＨレベルが印加されている状態を示す。この状態でＴｒのゲートが遮断されている時流れるリーク電流をＩｏｆｆ２で表わしている。薄膜トランジスタＴｒの非対称性によって、一般にＩｏｆｆ１はＩｏｆｆ２よりも大きい。
　【０００４】
　例えば図１２に示す様に、画面２０の中央に黒いウィンドウ３０を表わした場合、Ａ部に縦クロストークが生じ、正常なＢ部と比較し輝度が異なってしまう。各画素に書き込まれる映像信号ＶｓｉｇはＶｓｉｇＣ±ΔＶで表わされる。ＶｓｉｇＣは中心電位を表わし例えば６Ｖである。±の記号は映像信号が１Ｈ毎に反転することを表わしている。ΔＶはＶｓｉｇＣを中心としたＶｓｉｇの変化量である。最大変化量をΔＶ（ＭＡＸ）とすると、これは例えば４Ｖである。ノーマリーホワイトモードの場合、黒いウィンドウ３０にはＶｓｉｇＣ±ΔＶ（ＭＡＸ）＝６±４Ｖが書き込まれる。すなわち、黒いウィンドウ３０に含まれる画素には１０Ｖ又は２Ｖが書き込まれる。一方、黒いウィンドウ３０を除いた画面２０の背景に属する画素には中間レベルの映像信号６±２Ｖが書き込まれる。即ち、背景は灰色を呈しており、８Ｖ又は４Ｖが各画素に書き込まれる。
　【０００５】
　図１３は図１２に示したＡ部及びＢ部に含まれる画素の電位変化を２Ｆに渡って表わしている。この間、対応する薄膜トランジスタの動作状態が時間的に変化する。この時間帯をＴ１〜Ｔ４で表わしている。Ａ部に含まれる画素の場合薄膜トランジスタは初めの１ＦでＴ１，Ｔ２，Ｔ１の時間帯で動作状態が変化し、次の１ＦでＴ３，Ｔ４，Ｔ３の様に変化する。一方Ｂ部に含まれる画素に対応した薄膜トランジスタは、初めの１ＦにおいてＴ１の時間帯である動作状態を呈し、次の１ＦではＴ３の時間帯で他の動作状態を維持する。
　【０００６】
　図１４は各時間帯Ｔ１〜Ｔ４における薄膜トランジスタの動作状態を模式的に表わしている。Ｔ１では画素側に８Ｖが書き込まれ、信号線側は８Ｖと４Ｖとの間で１Ｈ毎に振動する。この時のリーク電流はＩｏｆｆ１で示した側に流れる。一方Ｔ３では画素側が４Ｖとなり信号線側は４Ｖと８Ｖの間で振動する。この時流れるリーク電流はＩｏｆｆ２と同極性である。Ｂ部の場合Ｔ１とＴ３を１Ｆ毎に交互に繰り返し、リーク電流による画素電位の変化は図１３の点線に示した通りである。Ａ部も基本的には同様であるが、Ｔ２，Ｔ４の期間中ウィンドウ３０の画素に２Ｖ又は１０Ｖの映像信号を書き込む為、この間だけ信号線が１０Ｖと２Ｖの間で振動する。例えば、Ｔ２の時間帯、画素側には８Ｖが書き込まれているが、信号線側は１０Ｖと２Ｖの間で変化している。リーク電流の非対称性により、Ｔ１とＴ２ではリーク電流量が異なる。この為、図１３に示した様にＴ２の期間でＡ部とＢ部では画素電位に若干の差が生じ、これが縦クロストークの原因となっている。同様に、Ｔ４の時間帯では画素側が４Ｖに保持されているのに対し、信号線側は１０Ｖと２Ｖとの間で１Ｈ毎に振動する。Ｔ３とＴ４では薄膜トランジスタのリーク電流の非対称性によりリーク電流に差が生じ、図１３に示す様にＴ４の期間で画素電位がＡ部とＢ部で差が生じてしまう。特に、Ｔ４の期間ではＴ３と異なり信号線側がＬの２Ｖになる状態が含まれる為大きなリーク電流が流れ、Ａ部とＢ部との間で差が極めて顕著になってしまう。
　【０００７】
　【課題を解決する為の手段】
　上述した従来の技術の課題を解決する為に以下の手段を講じた。即ち、本発明に係るアクティブマトリクス表示装置は基本的な構成として、行状のゲート線と、列状の信号線と、両者の交差部に配され
各薄膜トランジスタによって駆動される
、各薄膜トランジスタは、そのゲートが遮断されている時に流れるリーク電流が、画素に書き込まれた映像信号が高レベルで信号線に印加されている映像信号が低レベルになる一方の状態と、画素に書き込まれた映像信号が低レベルで信号線に印加されている映像信号が高レベルになる他方の状態とで比較すると、該一方の状態で流れるリーク電流が該他方の状態で流れるリーク電流より大きくなる非対称性を有する。また、
各薄膜トランジスタをゲートが遮断されている時に該一方の状態におくことで、
　【０００８】
　従来のアクティブマトリクス表示装置では例えばプロジェクタに応用した場合、強い光源光がパネルに入射すると縦クロストークが発生する。これは薄膜トランジスタの電流リークの非対称性に起因している。そこで本発明では、映像信号の書き込みに影響しない時間に、映像信号以下のレベルの電圧を全信号線に入力し、全画素の信号リーク量を同程度にそろえることで、縦クロストークを防止する。
　【０００９】
　【発明の実施の形態】
　以下図面を参照して本発明の最適な実施形態を詳細に説明する。
　図１の（Ａ）は本発明に係るアクティブマトリクス表示装置の第１実施形態を示す模式的な回路図である。図示する様に、本アクティブマトリクス表示装置は行状に配列したゲート線Ｘと列状に配列した信号線Ｙとを備えている。また、ゲート線Ｘと信号線Ｙの交差部には液晶画素ＬＣが行列状に配されている。本実施形態のアクティブマトリクス表示装置は液晶画素を備えているが、他の電気光学物質からなる画素であってもよいことは勿論である。液晶画素ＬＣは薄膜トランジスタＴｒにより駆動される。薄膜トランジスタＴｒの一方の電極は対応する信号線Ｙに接続され、他方の電極は対応する液晶画素ＬＣに接続され、ゲート電極は対応するゲート線Ｘに接続されている。各ゲート線Ｘには左右に分かれたＶスキャナー１Ｌ，１Ｒが接続されており垂直走査回路を構成する。このＶスキャナー１Ｌ，１Ｒは所定のクロック信号ＶＣＫに応じて垂直スタートパルスＶＳＴを順次転送し、各ゲート線Ｘに対して選択パルスを供給する。これにより、一垂直期間に渡って各ゲート線Ｘを順次走査し、一水平期間毎に一行分の液晶画素ＬＣを選択する。一方、個々の信号線Ｙは対応する水平スイッチＨＳＷを介してビデオライン２に接続されている。このビデオライン２にはシグナルドライバ３から映像信号Ｖｓｉｇ＝ＶｓｉｇＣ±ΔＶが供給される。また、Ｈスキャナー４を備えており、各水平スイッチＨＳＷの開閉制御を行なう。即ち、Ｈスキャナー４は所定のクロック信号ＨＣＫに同期して水平スタートパルスＨＳＴを順次転送し、サンプリングパルスを出力して水平スイッチＨＳＷを開閉する。このＨスキャナー４と水平スイッチＨＳＷとにより水平走査回路が構成され、各信号線Ｙに対して映像信号Ｖｓｉｇをサンプリングし、一水平期間内に選択された一行分の画素ＬＣに対して導通状態にある薄膜トランジスタＴｒを介し映像信号Ｖｓｉｇを書き込む。
　【００１０】
　本発明の特徴事項として電圧印加手段５を備えており、一水平期間の内一行分の画素ＬＣに映像信号Ｖｓｉｇを書き込む為に割り当てられた時間以外の時間に、映像信号Ｖｓｉｇの最低レベル以下の電圧Ｖｃｒを各信号線Ｙに印加する。即ち、Ｖｃｒ≦ＶｓｉｇＣ−ΔＶ（ＭＡＸ）である。この電圧Ｖｃｒの印加を一垂直期間に渡って繰り返して全画素ＬＣの信号リーク量を同程度にそろえる。本実施形態ではこの電圧印加手段５は上述した水平走査回路と別体に設けてあり、各信号線Ｙの端部に接続した複数のスイッチＰＳＷと、各スイッチＰＳＷを一斉に開閉して電圧信号Ｖｃｒを各信号線Ｙに印加する制御手段６とから構成されている。本実施形態ではこの制御手段６は制御パルスＰＣを出力する。なお、電圧信号Ｖｃｒはシグナルドライバ３とは別に設けられた信号源７から供給さる。
　【００１１】
　次に図１の（Ｂ）を参照して図１の（Ａ）に示したアクティブマトリクス表示装置の動作を説明する。Ｈスキャナー４は１Ｈ毎に入力されるＨＳＴに応じて映像信号の書き込みを行なう。なお、１Ｈには映像信号を書き込む為に割り当てられた時間以外のブランキング区間を含む時間が設けられている。制御パルスＰＣはこの映像信号を書き込む為に割り当てられた時間以外の時間に出力され、これに応じて各信号線Ｙに一斉に電圧信号Ｖｃｒが印加される。前述した様に、ＶｃｒはＶｓｉｇＣ−ΔＶ（ＭＡＸ）と等しいかこれ以下である。即ち、映像信号Ｖｓｉｇの最低レベル以下の電圧信号Ｖｃｒを各信号線Ｙに印加する。この後、書き込み時間中各タイミングでＨＳＷが開き、信号線には映像信号Ｖｓｉｇ＝ＶｓｉｇＣ＋ΔＶがサンプリングされる。この結果、信号線の電位ＶＹは（Ｂ）のタイミングチャートの一番下に示す様に変化する。次のＰＣが出力された時再び信号線ＹにはＶｃｒが供給され、その後反対極性の映像信号Ｖｓｉｇ＝ＶｓｉｇＣ−ΔＶがサンプリングされる。この様に、本発明では全信号線Ｙに対して１Ｈ毎図１４に示したＴ４の動作をさせることで、図１２に示したＡ部とＢ部の電流リーク量をほぼ同等にし縦クロストークを防止している。なお本実施形態では正極性及び負極性の映像信号が印加される何れの１Ｈ期間においてもＶｃｒを供給しているが、必ずしもこれに限ることはない。図１３及び図１４を参照して説明した様に、縦クロストークが顕著に現れるのは特に各画素にローレベル側の映像信号ＶｓｉｇＣ−ΔＶが印加される期間である。従って、これに合わせて１ＨおきにＶｃｒを書き込む様にしてもよい。
　【００１２】
　図２は、図１に示した動作方式を採用した場合における画素電位の変化を２Ｆに渡って示している。実線が本発明に従って縦クロストーク防止方式を採用した場合の画素電位変化であり、点線が従来構成における画素電位の変化を表わしている。（Ａ）は図１２のＡ部に含まれる画素の電位変化を示し、（Ｂ）は同じく図１２に示したＢ部に含まれる画素の電位変化を表わしている。本発明では１Ｆ期間内に図３に示した薄膜トランジスタの動作を１Ｈ毎に繰り返す為に、図２に示す様にＡ部及びＢ部の画素共にほぼ同様な電位変化を示す。即ち、Ａ部とＢ部の画素実効電圧がほぼ同等となる為縦クロストークを防止できる。換言すると、全信号線に関し、図３に示した動作（図１４のＴ４に示した動作と同等）をさせることによって、Ａ部とＢ部のリークレベルをほぼ同等にでき、これによって縦クロストークを防止する。
　【００１３】
　ところで、従来のアクティブマトリクス表示装置は前述した縦クロストークに加え縦筋と呼ばれる欠陥が問題となっている。この点につき、図４を参照して説明する。従来のアクティブマトリクス表示装置は行状のゲート線Ｘと列状の信号線Ｙとを備えている。両者の交差部には行列状に画素ＬＣが配置している。また、これを駆動する薄膜トランジスタＴｒも形成されている。また、Ｖスキャナー１を有しており、各ゲート線Ｘを順次走査して、１Ｈ毎に一行分の画素を選択する。また、水平走査回路を備えており、各信号線Ｙに対して映像信号Ｖｓｉｇをサンプリングし、１Ｈ毎に選択された一行分の画素ＬＣに映像信号Ｖｓｉｇを書き込む。この水平走査回路は個々の信号線Ｙの端部に設けられた水平スイッチＨＳＷと、これらを順次開閉制御するＨスキャナー４とからなる。各信号線Ｙは上述した水平スイッチＨＳＷを介してビデオライン２に接続されている。このビデオライン２にはシグナルドライバ３から映像信号Ｖｓｉｇが供給される。Ｈスキャナー４は各水平スイッチＨＳＷを順次開閉制御する為サンプリングパルスφＨ１，φＨ２，φＨ３・・・，φＨＮを出力する。
　【００１４】
　図５は、図４に示したＨスキャナー４から順次出力されるサンプリングパルスφＨ１，φＨ２，φＨ３を示す波形図である。アクティブマトリクス表示装置の高精細化が進み画素数が顕著に増大すると、これに応じて映像信号のサンプリングレートが高速化される。この結果、各サンプリングパルスの幅τＨにばらつきが発生する様になる。サンプリングパルスが対応する水平スイッチＨＳＷに印加されると、ビデオラインから供給された映像信号Ｖｓｉｇが導通したＨＳＷを介して各信号線Ｙにサンプリングされる。個々の信号線Ｙには所定の容量成分がある為サンプリングパルスに応じて信号線Ｙの充放電が生じ、これによりビデオラインの電位が得られる。前述した様に、サンプリングレートが高速化された場合各サンプリングパルスの幅がばらつく為、充放電量が一定せず、ビデオラインの電位が変動する。この電位変動が映像信号Ｖｓｉｇに重畳され、表示された画像に縦筋が発生し画像品位を著しく損なうという問題がある。
　【００１５】
　この点に対処する為プリチャージ方式が提案されており、例えば特開平７−２９５５２１号公報に開示されている。図６にプリチャージ方式のアクティブマトリクス表示装置の構成を示す。基本的には図１に示した本発明に係るアクティブマトリクス表示装置と類似しているので、対応する部分には対応する参照番号を付して理解を容易にしている。図示する様に、プリチャージ手段５ａが設けてあり、一行分の液晶画素ＬＣに映像信号Ｖｓｉｇを書き込む直前各信号線Ｙに所定の電圧信号（プリチャージ信号）Ｐｓｉｇを供給し、映像信号Ｖｓｉｇをサンプリングする際生じる各信号線Ｙの充放電量を低減化する。この例では、プリチャージ手段５は各信号線Ｙの端部に接続した複数のスイッチＰＳＷと各スイッチＰＳＷを一斉に開閉してプリチャージ信号Ｐｓｉｇを各信号線Ｙに印加する制御手段６ａとから構成されている。この制御手段６ａは制御パルスＰＣを出力して各ＰＳＷを一斉に開閉制御する。プリチャージ信号Ｐｓｉｇはシグナルドライバ３とは別に設けられた信号源７ａから供給される。このプリチャージ信号Ｐｓｉｇは白レベルと黒レベルの間で変化する映像信号Ｖｓｉｇに対し灰レベル（中間レベル）を有している。
　【００１６】
　次に図７のタイミングチャートを参照して図６に示したアクティブマトリクス表示装置の動作を説明する。Ｖスキャナー１に入力される垂直クロック信号ＶＣＫは１Ｈに相当するパルス幅を有する。また、制御手段６ａから出力される制御パルスＰＣは例えば水平ブランキング期間などの水平非有効期間内に出力される。次に、Ｈスキャナー４に供給される水平スタートパルスＨＳＴは一水平期間毎制御パルスＰＣの直後に出力され、映像信号Ｖｓｉｇのサンプリングを開始する。このサンプリングはＨスキャナー４に供給される水平クロック信号ＨＣＫに同期して順次行なわれる。一方、シグナルドライバ３からビデオライン２を介して供給される映像信号Ｖｓｉｇは１Ｈ毎に極性反転しており、交流駆動が行なわれる。これに応じて、信号源７ａから供給されるプリチャージ信号Ｐｓｉｇも１Ｈ毎に反転し、Ｖｓｉｇに対して極性を一致させている。このプリチャージ信号Ｐｓｉｇは映像信号Ｖｓｉｇの中心電位ＶｓｉｇＣに対してＶｐの電位レベルを有し、丁度白レベルと黒レベルの中間に位置する灰レベルを表わしている。この様に、プリチャージ信号Ｐｓｉｇの電位レベルは基本的に視角特性上最もユニフォーミティの判別され易い灰レベル（中間レベル）に設定されている。タイミングチャートの最後の波形は個々の信号線Ｙに印加される電位ＶＹの変化を表わしている。１Ｈの最初に制御信号ＰＣが出力されスイッチＰＳＷが導通すると、全信号線Ｙにプリチャージ信号Ｐｓｉｇが印加され、容量成分に対して充放電が行なわる。このプリチャージ信号Ｐｓｉｇの印加により、各信号線Ｙの電位ＶＹはＶｐのレベルになる。この後、各信号線Ｙに対して実際の映像信号Ｖｓｉｇがサンプリングされ、その電位ＶＹはＶｓｉｇに応じて変化し書き込みが実行される。書き込みに伴う電位変化ΔｖはＶｓｉｇ−Ｖｐに低減されており、充放電量が少なくなる。これにより、ビデオライン２の電位揺れを抑制でき、ユニフォーミティは大きく向上する。以上の様にプリチャージ方式では、表示画像に影響を与えない水平ブランキング期間などのタイミングで、全信号線Ｙを中間レベルの電位まであらかじめプリチャージしておき、実際の映像信号Ｖｓｉｇがサンプリングされた時発生する信号線の充放電電流を低減化し、ビデオライン２の電位揺れを抑える様にした。換言すると、ブランキング区間に各信号線Ｙの充放電をスイッチＰＳＷを用いてほとんど済ませてしまい、実際の映像信号Ｖｓｉｇによる充放電はプリチャージ信号Ｐｓｉｇの電位レベルと映像信号Ｖｓｉｇの電位レベルの差分のみで発生させる構成を採用している。
　【００１７】
　しかしながら、プリチャージ信号Ｐｓｉｇのレベル設定については解決すべき課題があり、これを図８に示す。プリチャージ信号Ｐｓｉｇのレベルは映像信号Ｖｓｉｇに近ければ近い程よい。特に、Ｐｓｉｇを所定レベルに固定する場合、最も縦筋が顕著になる灰レベルに設定することが望ましい。図８では、破線で示すＰｓｉｇＨ２，ＰｓｉｇＬ２がこれを表わしている。ところが、このままでは前述した縦クロストークが発生してしまう為、これを防ぐにはＰｓｉｇの振幅をなるべく大きく取ることが好ましい。この振幅を図８ではＰｓｉｇＨ１及びＰｓｉｇＬ１で表わしている。特に、Ｖｓｉｇがローレベルとなる期間でＰｓｉｇＬ１をＶｓｉｇの最低レベル以下に設定することで、縦クロストークを顕著に抑制可能である。以上の様に、電圧信号（プリチャージ信号）Ｐｓｉｇのレベルを縦筋が最も見えない電圧（ＰｓｉｇＨ２，ＰｓｉｇＬ２）に合わせると縦クロストークが発生し、逆に縦クロストークが見えない電圧レベル（ＰｓｉｇＨ１，ＰｓｉｇＬ１）に合わせると縦筋が発生してしまう状況にある。
　【００１８】
　以上の課題を解決する為に、図９を参照して本発明に係るアクティブマトリクス表示装置の第２実施形態を詳細に説明する。基本的にはこの第２実施形態は図１に示した第１実施形態と同一であり、対応する部分には対応する参照番号を付して理解を容易にしている。特徴事項として、電圧印加手段５は映像信号Ｖｓｉｇの最低レベル以下の電圧を印加した後映像信号Ｖｓｉｇを書き込む前に、電圧を映像信号Ｖｓｉｇの中間レベルに変化させて印加し、各信号線Ｙをプリチャージする。
　【００１９】
　図１０を参照して図９に示した第２実施形態の動作を説明する。制御パルスＰＣがハイレベルになる時間に、図示の波形を有する電圧信号Ｐｓｉｇを各信号線Ｙに印加する。まず、ＰｓｉｇＨ１レベル（黒レベル）を印加し、ＰＣがまだハイレベルにある間にＰｓｉｇＨ２レベル（灰レベル）に落とす。反対極性側も同様であり、ＰＣが出力されている間に、ＰｓｉｇＬ１レベル（黒レベル）を信号線に印加し、まだＰＣが出力されている間にＰｓｉｇＬ２レベル（灰レベル）に落とす。より具体的には、まずＴ１の時間を使って全信号線Ｙのリークレベルをほぼそろえ縦クロストークを防止する。Ｔ２の時間で電圧信号Ｐｓｉｇのレベルを灰レベルにして映像信号Ｖｓｉｇとの差を少なくし、これにより縦筋を除去する。Ｔ３の時間ではＴ２で書き込まれた電圧信号Ｐｓｉｇのレベルをホールドする。Ｔ４の時間以降映像信号Ｖｓｉｇを書き込みホールドする。電圧信号Ｐｓｉｇのレベルを上記の様に設定することで、縦クロストークと縦筋を両方同時に除去できる。なお本実施形態では、水平走査回路は１Ｈ毎に極性反転する映像信号Ｖｓｉｇを書き込み、電圧印加手段５は一方の極性（ロー側の極性）の映像信号Ｖｓｉｇが書き込まれる水平期間においてその最低レベル以下の電圧を各信号線Ｙに印加している。他方の極性（ハイ側の極性）の映像信号の水平期間においてはその最高レベル以上の電圧を各信号線に印加している。
　【００２０】
　【発明の効果】
　以上説明した様に、本発明によれば、一水平期間の内一行分の画素に映像信号を書き込む為に割り当てられた時間以外の時間に、映像信号の最低レベル以下の電圧を各信号線に印加する電圧印加手段を設け、この電圧印加を一垂直期間に渡って繰り返して全画素の信号リーク量を同程度にそろえることにより、従来問題となっていたアクティブマトリクス表示装置の縦クロストークを実質的に除去することが可能になった。
【図面の簡単な説明】
　【図１】
　本発明に係るアクティブマトリクス表示装置の第１実施形態を示す回路図及びタイミングチャートである。
　【図２】
　第１実施形態の動作説明に供する波形図である。
　【図３】
　同じく第１実施形態の動作説明に供する模式図である。
　【図４】
　従来のアクティブマトリクス表示装置の一例を示す回路図である。
　【図５】
　図４に示したアクティブマトリクス表示装置の動作説明に供するタイミングチャートである。
　【図６】
　従来のアクティブマトリクス表示装置の他の例を示す回路図である。
　【図７】
　図６に示したアクティブマトリクス表示装置の動作説明に供するタイミングチャートである。
　【図８】
　図６に示した従来のアクティブマトリクス表示装置の課題説明に供するタイミングチャートである。
　【図９】
　本発明に係るアクティブマトリクス表示装置の第２実施形態を示す回路図である。
　【図１０】
　第２実施形態の動作説明に供するタイミングチャートである。
　【図１１】
　従来のアクティブマトリクス表示装置の別の例を示す模式図である。
　【図１２】
　図１１に示した従来例の課題説明に供する模式図である。
　【図１３】
　同じく課題説明に供する模式図である。
　【図１４】
　同じく課題説明に供する模式図である。
　【符号の説明】
　１Ｌ・・・Ｖスキャナー、１Ｒ・・・Ｖスキャナー、２・・・ビデオライン、３・・・ビデオドライバ、４・・・Ｈスキャナー、５・・・電圧印加手段、６・・・制御手段、７・・・信号源、